(57)【要約】【課題】設計の自由度が高い吊り具を提供する。【解決手段】吊り具２は物品支持部２１と貫通支持部２２と掛止部２３とを有する。貫通支持部２２は筒状品１１の内部を貫通する。物品支持部２１は、貫通支持部２２の下部にて、筒状品１１の下端部を支持する。掛止部２３は、貫通支持部２２の上部にて、陳列用部材Ｆに掛止される。つまり、吊り具２が筒状品１１の側面を覆うことが抑制される。このような吊り具２は、買物客による筒状品１１の視認を阻害することが抑制されている。このため、吊り具２が透明性を有している必要はない。従って、吊り具２は設計の自由度が高い。【選択図】図１
2015150239.tif 000002
【特許請求の範囲】
【請求項１】
筒状の物品を縦姿勢で吊り下げ陳列するための吊り具であって、
前記物品の下端部を支持する物品支持部と、
前記物品の内部を貫通し、前記物品支持部を下部で支持する貫通支持部と、
該貫通支持部の上部に配されており、陳列用部材に掛止される掛止部と
を備えることを特徴とする吊り具。
【請求項２】
前記物品支持部は、上面に前記下端部が載置されるシート状をなしていることを特徴とする請求項１に記載の吊り具。
【請求項３】
前記物品支持部は、円形状をなしていることを特徴とする請求項２に記載の吊り具。
【請求項４】
前記物品支持部は、周縁部に切り欠き部を有し、
前記貫通支持部の下端部は、前記切り欠き部の内奥部に一体的に配されていることを特徴とする請求項２又は３に記載の吊り具。
【請求項５】
前記切り欠き部は矩形状をなし、
前記貫通支持部は、下端部が前記切り欠き部の内奥側の１辺部に一体に設けられている縦長矩形シート状をなしていることを特徴とする請求項４に記載の吊り具。
【請求項６】
周縁側及び中央部側に亘って形成された２本の平行な等長の切れ目を周縁部に有する第１部分と、前記切れ目同士の間から該切れ目に沿う方向に突出している矩形状の第２部分とを一体に有する１枚のシート部材を、前記第２部分及び前記切れ目同士の内側に位置する第１部分を前記貫通支持部となし、前記切れ目同士の外側に位置する第１部分を前記物品支持部となすべく、前記切れ目の前記第１部分の中央部側の端部同士を結ぶ位置にて直交状に折り曲げてなることを特徴とする請求項５に記載の吊り具。
【請求項７】
前記掛止部は、前記貫通支持部に形成された貫通孔であることを特徴とする請求項１乃至６の何れか一項に記載の吊り具。
【発明の詳細な説明】
【技術分野】
【０００１】
本発明は、筒状の物品を縦姿勢で吊り下げ陳列するための吊り具に関する。
【背景技術】
【０００２】
筒状に巻かれたシート状の商品、又は筒状の商品等の筒状の物品（以下、筒状品という）は、一般に、棚の上にて横置きされるか、又は箱の中にて縦置きされる。
従来、商品の吊り下げ陳列用具が提案されている（特許文献１参照）。吊り下げ陳列用具は、包装袋に陳列用フックを取り付けてなる。吊り下げ陳列用具の包装袋に筒状品を縦姿勢で収容すれば、筒状品を縦姿勢で吊り下げ陳列することができる。
【先行技術文献】
【特許文献】
【０００３】
【特許文献１】実公平０１−０３０１３１号公報
【発明の概要】
【発明が解決しようとする課題】
【０００４】
往々にして買物客には、商品を購入する前に十分に確認したいという欲求がある。一方、包装袋は筒状品の側面を覆う。故に、買物客による筒状品の視認が阻害されないよう、包装袋は透明性を有している必要がある。換言すれば、特許文献１に記載されているような吊り下げ陳列用具の設計の自由度は低い。
【０００５】
本発明は斯かる事情に鑑みてなされたものであり、その主たる目的は、設計の自由度が高い吊り具を提供することにある。
【課題を解決するための手段】
【０００６】
本発明に係る吊り具は、筒状の物品を縦姿勢で吊り下げ陳列するための吊り具であって、前記物品の下端部を支持する物品支持部と、前記物品の内部を貫通し、前記物品支持部を下部で支持する貫通支持部と、該貫通支持部の上部に配されており、陳列用部材に掛止される掛止部とを備えることを特徴とする。
【０００７】
本発明に係る吊り具は、前記物品支持部は、上面に前記下端部が載置されるシート状をなしていることを特徴とする。
【０００８】
本発明に係る吊り具は、前記物品支持部は、円形状をなしていることを特徴とする。
【０００９】
本発明に係る吊り具は、前記物品支持部は、周縁部に切り欠き部を有し、前記貫通支持部の下端部は、前記切り欠き部の内奥部に一体的に配されていることを特徴とする。
【００１０】
本発明に係る吊り具は、前記切り欠き部は矩形状をなし、前記貫通支持部は、下端部が前記切り欠き部の内奥側の１辺部に一体に設けられている縦長矩形シート状をなしていることを特徴とする。
【００１１】
本発明に係る吊り具は、周縁側及び中央部側に亘って形成された２本の平行な等長の切れ目を周縁部に有する第１部分と、前記切れ目同士の間から該切れ目に沿う方向に突出している矩形状の第２部分とを一体に有する１枚のシート部材を、前記第２部分及び前記切れ目同士の内側に位置する第１部分を前記貫通支持部となし、前記切れ目同士の外側に位置する第１部分を前記物品支持部となすべく、前記切れ目の前記第１部分の中央部側の端部同士を結ぶ位置にて直交状に折り曲げてなることを特徴とする。
【００１２】
本発明に係る吊り具は、前記掛止部は、前記貫通支持部に形成された貫通孔であることを特徴とする。
【００１３】
本発明にあっては、吊り具は、物品支持部、貫通支持部、及び掛止部を備える。
貫通支持部は筒状品の内部を貫通する。物品支持部は、貫通支持部の下部にて、筒状品（筒状の物品）の下端部を支持する。掛止部は、貫通支持部の上部にて、陳列用部材に掛止される。つまり、吊り具が筒状品の側面を覆うことが抑制される。故に、吊り具が買物客による筒状品の視認を阻害することが抑制される。
【００１４】
本発明にあっては、吊り具は、シート状の物品支持部と、貫通支持部及び掛止部とを備える。
物品支持部は筒状品の外部に配される。とはいえ、吊り下げ陳列された筒状品全体が無用に大型化することは抑制される。何故ならば、物品支持部は、上面に筒状品の下端部が載置されるシート状だからである。
【００１５】
本発明にあっては、吊り具は、円形シート状の物品支持部と、貫通支持部及び掛止部とを備える。
円形シート状の物品支持部は、特に円筒状の筒状品の下端部が載置される場合に好適である。
【００１６】
本発明にあっては、吊り具は、周縁部に切り欠き部を有するシート状の物品支持部と、貫通支持部及び掛止部とを備える。
貫通支持部の下端部は、物品支持部の切り欠き部の内奥部に一体的に配されている。故に、物品支持部は、貫通支持部に貫通されて物品支持部に載置される筒状品の下端部を、筒状品の軸長方向周りに１８０°より広い範囲で支持する。このため、物品支持部は、筒状品の下端部を安定して支持することができる。
【００１７】
本発明にあっては、吊り具は、周縁部に矩形状の切り欠き部を有するシート状の物品支持部と、縦長矩形シート状の貫通支持部と、掛止部とを備える。
このような吊り具は、物品支持部の切り欠き部及び貫通支持部の形状が簡易であるため、容易に製造することができる。
また、物品支持部及び貫通支持部は一体に設けられているため、別体の物同士を結合した場合よりも、物品支持部と貫通支持部との無用な分離を抑制することができる。
【００１８】
本発明にあっては、吊り具は、１枚のシート部材を折り曲げてなる物品支持部及び貫通支持部と、掛止部とを有する。
このような吊り具は構成が簡易であるため、容易に製造することができる。
【００１９】
本発明にあっては、吊り具は、物品支持部及び貫通支持部と、貫通支持部に形成された貫通孔である掛止部とを有する。
このような吊り具は構成が簡易であるため、容易に製造することができる。
掛止部は筒状品の外部に配される。とはいえ、貫通支持部とは別体の掛止部を貫通支持部に取り付ける場合よりも、吊り下げ陳列された筒状品全体が無用に大型化することが抑制される。しかも、掛止部と貫通支持部との無用な分離を抑制することができる。
【発明の効果】
【００２０】
本発明の吊り具による場合、吊り具が買物客による筒状品の視認を阻害することが抑制されている。このため、吊り具が透明性を有している必要はない。従って、吊り具は設計の自由度が高い。
【図面の簡単な説明】
【００２１】
【図１】本発明の実施の形態に係る吊り具の構成を略示する断面図である。
【図２】吊り具の構成を略示する斜視図である。
【図３】シート部材の平面図である。
【図４】吊り具を筒状品に取り付ける手順を示す斜視図である。
【発明を実施するための形態】
【００２２】
以下、本発明を、その実施の形態を示す図面に基づいて詳述する。以下の説明では、図において矢符で示す上下、前後、及び左右を使用する。
【００２３】
図１及び図２は、本発明の実施の形態に係る吊り具２の構成を略示する断面図及び斜視図である。図２は、吊り具２を斜め上側から見た状態を示している。
図３は、シート部材３の平面図である。
図４は、吊り具２を筒状品１１に取り付ける手順を示す斜視図である。図４は、吊り具２及び筒状品１１を斜め下側から見た状態を示している。
吊り具２は、筒状品（筒状の物品）１１を縦姿勢で吊り下げ陳列するための商品陳列用具である。以下では、吊り具２を用いて吊り下げ陳列された筒状品１１を、陳列物１という。図１は、陳列物１の断面図でもある。
【００２４】
まず、筒状品１１について説明する。
筒状品１１は、シート状の商品を円筒状に巻いてなる（図１及び図４参照。ただし、図１では、複数層状となるべき断面を簡略化して１層状に記載してある）。
ここで、筒状品１１となすべきシート状の商品とは、例えばキッチンマット、又はバスマット等のマット類、或いは、紙、布、又はフィルム等である。このようなシート状の商品は、図示しないラッピングフィルム、紐、又は輪ゴム等を用いて筒状に保形される。
なお、筒状品１１は、円筒状に巻かれたシート状の商品に限定されない。筒状品１１は、角筒状に巻かれたシート状の商品、又は筒状の商品でもよい。また、筒状品１１は、商品に限定されず、非売品又は展示品等でもよい。
【００２５】
次に、吊り具２について説明する。
吊り具２は合成樹脂を用いてなり、物品支持部２１、貫通支持部２２、及び掛止部２３を備えている（図１、図２、及び図４参照）。
物品支持部２１は、円形シート状（更に詳細には、周縁部に切り欠き部２１ａを有する円形シート状）をなしている。物品支持部２１の直径は、筒状品１１の外周の直径以下である。
切り欠き部２１ａは矩形状をなしており、左右両辺部及び後辺部を有する。切り欠き部２１ａの後辺部は、切り欠き部２１ａの内奥側の１辺部である。
【００２６】
貫通支持部２２は、縦長矩形シート状をなしている。貫通支持部２２の下端部は、物品支持部２１に一体である。つまり、貫通支持部２２の下部は、物品支持部２１を支持している。
貫通支持部２２の下端部は、物品支持部２１の切り欠き部２１ａの後辺部に一体に設けられている。故に、貫通支持部２２の前面は、物品支持部２１の切り欠き部２１ａに臨む。一方、貫通支持部２２の前面及び左右両端面夫々は、物品支持部２１の切り欠き部２１ａ以外の部分に臨む。
【００２７】
貫通支持部２２の高さ（上下方向の長さ）は、筒状品１１の高さよりも長い。貫通支持部２２の幅（左右方向の長さ）は、筒状品１１の内周の直径以下である。
貫通支持部２２の幅と切り欠き部２１ａの左右方向の長さとは等しい。貫通支持部２２の厚み（前後方向の長さ）と物品支持部２１の厚み（上下方向の長さ）とは等しい。この理由は、物品支持部２１及び貫通支持部２２が１枚のシート部材３（図３参照）を用いてなるからである。
【００２８】
シート部材３は合成樹脂を用いてなり、円形シート状の第１部分３１と、矩形シート状の第２部分３２とを一体に有する。
第１部分３１の周縁部には、２本の平行な等長の切れ目３３，３３（太線で図示）が周縁側及び中央部側に亘って形成されている。図３においては、切れ目３３，３３に沿う方向は左右方向である。第２部分３２は、切れ目３３，３３同士の間から図中左方向に突出している。換言すれば、２本の切れ目３３，３３は、第２部分３２の対向２辺部を延長するようにして第１部分３１の周縁部に設けられている。
【００２９】
第１部分３１の中央部にて切れ目３３，３３の端部同士を結ぶ仮想線（破線で図示）を折り線３４とし、折り線３４にてシート部材３を直交状に折り曲げれば、第２部分３２及び切れ目３３，３３同士の内側に位置する第１部分３１が貫通支持部２２となり、切れ目３３，３３同士の外側に位置する第１部分３１が物品支持部２１となる。
つまり、物品支持部２１及び貫通支持部２２は、シート部材３を用いて一体に形成されている。
【００３０】
貫通支持部２２の上部には、掛止部２３が形成されている。掛止部２３は、貫通支持部２２を貫通する貫通孔である。掛止部２３の高さ（物品支持部２１の上面から掛止部２３までの上下方向の長さ）は、筒状品１１の高さよりも長い。
以上のような吊り具２は構成が簡易であるため、容易に製造することができる。
【００３１】
次に、図１及び図４を参照しつつ、作業者（例えば販売者）が吊り具２を用いて筒状品１１を縦姿勢で吊り下げ陳列する場合について説明する。
まず、作業者は、筒状品１１の下側開口を通して筒状品１１の内部へ貫通支持部２２を挿入する。次に、作業者は、物品支持部２１の上面が筒状品１１の下端部に当接するまで、貫通支持部２２を筒状品１１の内部へ挿入し続ける。
物品支持部２１の上面が筒状品１１の下端部に当接した場合、貫通支持部２２は筒状品１１の内部を貫通する。このとき、貫通支持部２２の上部は、筒状品１１の上側開口を通して、筒状品１１の内部から外部へ上向きに突出する。また、このとき、筒状品１１の下端部は、物品支持部２１の上面に載置される。換言すれば、物品支持部２１は筒状品１１の下端部を支持する。
【００３２】
最後に、作業者は、掛止部２３を適宜の陳列用部材Ｆに掛止する。
ここで、陳列用部材Ｆは、図示しない陳列用枠体の横桟に固定されているＪ字フックである。なお、掛止部２３は、Ｊ字フックに替えて、横姿勢に配された紐、又は、横方向に突出しているフック棒等の陳列用部材Ｆに掛止されてもよい。
以上の結果、筒状品１１は縦姿勢で吊り下げ陳列される。
【００３３】
さて、前述したように、物品支持部２１は切り欠き部２１ａを有する。切り欠き部２１ａは、１枚のシート部材３を用いて物品支持部２１及び貫通支持部２２を一体に形成するために必然的に生じたものである。とはいえ、切り欠き部２１ａの存在によって、筒状品１１の支持が不安定になることはない。何故ならば、物品支持部２１は、筒状品１１の下端部を、周方向に１８０°より広い範囲で支持するからである。
故に、陳列物１において、吊り具２から筒状品１１が脱落することは抑制されている。
【００３４】
次に、吊り具２の効果について説明する。
吊り具２は合成樹脂製のシート状である。このため、吊り具２は軽量である。また、筒状品１１の外部に配されている部分（物品支持部２１と貫通支持部２２の上部と）によって、陳列物１が無用に大型化してしまう虞はない。
更に、掛止部２３が貫通支持部２２に形成されている分、貫通支持部２２に別体の掛止部が取り付けられている場合に比べて、吊り具２、延いては陳列物１の無用な大型化が抑制されている。
【００３５】
吊り具２は筒状品１１の周面（側面）及び上端面を被覆しない。換言すれば、吊り具２によって吊り下げられても、筒状品１１の周面及び上端面は露出している。従って、買物客は筒状品１１を容易に視認し、十分に確認することができる。
故に、吊り具２は透明性を有している必要はない。つまり、特許文献１に記載されているような従来の吊り下げ陳列用具に比べて、吊り具２は設計の自由度が高い。
また、物品支持部２１及び貫通支持部２２は一体に形成されていることと、掛止部２３が貫通支持部２２に形成されていることとは、吊り具２の無用な分離を抑制する効果を奏する。
【００３６】
ところで、吊り具２は、作業者が物品支持部２１を持って下方に引き抜けば、容易に筒状品１１から取り外すことができる。即ち、吊り具２を筒状品１１から取り外すときに吊り具２を破壊する必要がない。故に、吊り具２は再使用することができる。
【００３７】
筒状品１１は、高さが掛止部２３の高さ未満であり、内周の直径が貫通支持部２２の幅以上、且つ物品支持部２１の直径未満であれば、吊り具２を用いて吊り下げ陳列することができる。換言すれば、吊り具２は、サイズが異なる複数本の筒状品１１，１１，…間で共用することができる。
また、複数個の筒状品１１，１１，…の高さの合計よりも、掛止部２３の高さの方が長い場合には、筒状品１１，１１，…を縦に複数個積み重ねたものを、吊り具２によって吊り下げ陳列することができる。
【００３８】
なお、吊り具２は合成樹脂を用いてなる構成に限定されず、例えばボール紙製又は金属製等でもよい。
物品支持部２１及び貫通支持部２２は、１枚のシート部材３の折り曲げによって一体に設けられる構成に限定されず、例えば成型によって一体に設けられる構成でもよい。また、物品支持部２１及び貫通支持部２２は別体でもよい。
物品支持部２１は、切り欠き部を有していない真円シート状でもよい。物品支持部２１は、円形状又はシート状に限定されるものではない。物品支持部２１は、筒状品１１の下端部を受け止める皿状、半球状、網状、又は籠状等でもよい。
【００３９】
貫通支持部２２は、縦長矩形シート状に限定されるものではない。貫通支持部２２は、その下部に物品支持部２１が取り付けられている縦棒状、垂下紐状、又は垂下鎖状等でもよい。貫通支持部２２の下部は、物品支持部２１の下面側に突出していてもよい。また、貫通支持部２２は、複数の別体物からなる構成でもよい。例えば、貫通支持部２２は、切り欠き部２１ａに対応する縦姿勢の矩形シート状の部分と、この部分に連結された縦棒状、垂下紐状、又は垂下鎖状等とからなる構成でもよい。切り欠き部２１ａは矩形状に限定されず、例えば台形状でもよい。
【００４０】
掛止部２３は、貫通支持部２２に形成された貫通孔に限定されない。例えば、掛止部２３は、貫通支持部２２に取り付けられたフック部材を用いてなる構成でもよい。また、掛止部２３は、貫通支持部２２の上部がフック状に屈曲するか、又はフック状に切り抜かれることによって形成してある構成でもよい。貫通支持部２２が紐状又は鎖状である場合、掛止部２３は、貫通支持部２２の一端側を環状にすることによって形成してある構成でもよい。
【００４１】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、吊り具２に、実施の形態に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００４２】
１１    筒状品（筒状の物品）
２      吊り具
２１    物品支持部
２１ａ  切り欠き部
２２    貫通支持部
２３    掛止部
３      シート部材
３１    第１部分
３２    第２部分
３３    切れ目
【図１】
2015150239.tif 000003
【図２】
2015150239.tif 000004
【図３】
2015150239.tif 000005
【図４】
2015150239.tif 000006